(57)【要約】【課題】スピニングリールのリール本体において、安価な構成で第１蓋部及び第２蓋部は筐体部に固定するとともに、外観意匠を向上させる。【解決手段】スピニングリールのリール本体２は、筐体部１０と、筐体部１０の両側をそれぞれ塞ぐ第１蓋部１１及び第２蓋部１２とを有している。筐体部１０には、側部を貫通する貫通孔１０ｅが形成されている。第１蓋部１１には、筐体部１０側に突出する突出部１１ｇが形成され、第２蓋部１２には、貫通孔１２ｇが形成されている。筐体部１０に形成された貫通孔１０ｅに第１蓋部１１に形成された突出部１１ｇを挿通し、第２蓋部１２の貫通孔１２ｇをを貫通して突出部１１ｇにねじ部材１９をねじ止めすることにより、第１蓋部１１及び第２蓋部１２を筐体部１０に固定している。【選択図】      図４
2004254557.tif 000002
【特許請求の範囲】
【請求項１】
釣竿に装着され、マスターギアを介してハンドルの回転をロータ及びスプールに伝達して釣り糸を前記スプールに巻き取るスピニングリールのリール本体であって、
内部に前記ロータ及び前記スプールを駆動する駆動機構を収納支持するための収納空間と、側部を貫通する１又は複数の貫通孔とを有する筐体部と、
前記筐体部の一面を覆うように前記筐体部に固定され、前記筐体部側に突出して形成され前記貫通孔に挿通される突出部を有する第１蓋部と、
前記筐体部の他面を覆うように前記筐体部に固定され、前記貫通孔に挿通された前記突出部にねじ部材を装着することにより前記第１蓋部とともに前記筐体部にねじ止め固定される第２蓋部と、
前記筐体部、前記第１蓋部及び前記第２蓋部のいずれかと一体成形され、前記釣竿に取り付け可能な竿取付部と、
を備えた、スピニングリールのリール本体。
【請求項２】
前記筐体部及び前記第１蓋部は金属製である、請求項１に記載のスピニングリールのリール本体。
【請求項３】
前記筐体部はマグネシウム合金製であり、前記第１蓋部はアルミニウム合金製である、請求項２に記載のスピニングリールのリール本体。
【請求項４】
前記第２蓋部は合成樹脂製である、請求項１から４のいずれかに記載のスピニングリールのリール本体。
【請求項５】
前記突出部は雌ねじ部を有しており、前記ねじ部材は前記雌ねじ部に螺合する雄ねじ部を有している、請求項１から４のいずれかに記載のスピニングリールのリール本体。
【請求項６】
前記突出部はタッピング孔を有しており、前記ねじ部材は前記タッピング孔にねじ込まれるタッピングねじである、請求項１から４のいずれかに記載のスピニングリールのリール本体。
【請求項７】
前記第１蓋部は、前記マスターギアが近接して配置され、前記マスターギアの背面側で前記マスターギアの回転軸を支持している、請求項１から６のいずれかに記載のスピニングリールのリール本体。
【請求項８】
前記第１蓋部は、前記マスターギアから離反して配置され、前記マスターギアの正面側で前記マスターギアの回転軸を支持している、請求項１から６のいずれかに記載のスピニングリールのリール本体。
【発明の詳細な説明】
【０００１】
【発明の属する技術分野】
本発明は、リール本体、特に、釣竿に装着されマスターギアを介してハンドルの回転をロータ及びスプールに伝達して釣り糸をスプールに巻き取るスピニングリールのリール本体に関する。
【０００２】
【従来の技術】
スピニングリールのリール本体として、釣竿に装着可能な竿取付部と、竿取付部が一体成形された筐体部と、筐体部の両側部に着脱自在に取り付けられる第１蓋部及び第２蓋部とを有する３分割のものが知られている（たとえば、特許文献１参照）。このようなリール本体では、第１蓋部及び第２蓋部は筐体部にそれぞれビス等のねじ部材によりねじ止め固定されている。
【０００３】
【特許文献１】
実開昭５４−１７２８８７号公報。
【０００４】
【発明が解決しようとする課題】
前記従来のスピニングリールのリール本体では、第１蓋部及び第２蓋部は筐体部にそれぞれビスによりねじ止め固定されている。このため、第１蓋部及び第２蓋部の両方にねじ止め部分が外方に露出してしまい、外観意匠の低下を招くおそれがある。また、第１蓋部及び第２蓋部は筐体部にそれぞれ固定されているので、第１蓋部及び第２蓋部のそれぞれに固定用のねじボス等を形成しなければならず、加工に手間がかかるとともに、製造コストが増加するおそれが生じる。
【０００５】
本発明の課題は、スピニングリールのリール本体において、安価な構成で第１蓋部及び第２蓋部は筐体部に固定するとともに、外観意匠を向上させることにある。
【０００６】
【課題を解決するための手段】
発明１に係るスピニングリールのリール本体は、釣竿に装着されマスターギアを介してハンドルの回転をロータ及びスプールに伝達して釣り糸をスプールに巻き取るスピニングリールのリール本体であって、内部にロータ及びスプールを駆動する駆動機構を収納支持するための収納空間と側部を貫通する１又は複数の貫通孔とを有する筐体部と、筐体部の一面を覆うように筐体部に固定され筐体部側に突出して形成され貫通孔に挿通される突出部を有する第１蓋部と、筐体部の他面を覆うように筐体部に固定され貫通孔に挿通された突出部にねじ部材を装着することにより第１蓋部とともに筐体部にねじ止め固定される第２蓋部と、筐体部、第１蓋部及び第２蓋部のいずれかと一体成形され釣竿に取り付け可能な竿取付部とを備えている。
【０００７】
このスピニングリールリール本体は、３分割のリール本体であって、筐体部と、第１蓋部及び第２蓋部とを有している。筐体部に形成された貫通孔に第１蓋部に形成された突出部を挿通し、第２蓋部を突出部にねじ止めすることにより、第１蓋部及び第２蓋部を筐体部に固定している。ここでは、第１蓋部側にねじ止め部分が外方に露出することがないので、外観意匠を向上させることができる。また、貫通孔に突出部を挿通させることにより容易に位置決めできるとともに、第１蓋部にのみ突出部を設けることにより、安価な構成で第１蓋部及び第２蓋部を筐体部に固定することができる。
【０００８】
発明２に係るリール本体は、発明１のリール本体において、筐体部及び第１蓋部は金属製である。この場合、各種の機構が収納支持され比較的大きな力が作用しやすい筐体部及び第１蓋部を金属により形成することにより、支持強度を高く維持できる。
発明３に係るリール本体は、発明２のリール本体において、筐体部はマグネシウム合金製であり、第１蓋部はアルミニウム合金製である。この場合、筐体部がマグネシウム合金製であるとともに第１蓋部がマグネシウム合金より強度が高いアルミニウム合金製であるので、強度を高く維持してさらに軽量化を図ることができる。しかも、他のものに接触しやすい第１蓋部が筐体部に比べて腐食しにくいので、耐食性も向上できる。
【０００９】
発明４に係るリール本体は、発明１から３のリール本体において、第２蓋部は合成樹脂製である。この場合、第２蓋部を合成樹脂により形成することによって、軽量化を図ることができる。
発明５に係るリール本体は、発明１から４のリール本体において、突出部は雌ねじ部を有しており、ねじ部材は雌ねじ部に螺合する雄ねじ部を有している。この場合、雌ねじ部に雄ねじ部を螺合させることにより、取り付け強度を高く維持できる。
【００１０】
発明６に係るリール本体は、発明１から４のリール本体において、突出部はタッピング孔を有しており、ねじ部材はタッピング孔にねじ込まれるタッピングねじである。この場合、たとえば突出部を有する第１蓋部が合成樹脂製である場合には、タッピングねじにより容易に取り付けできる。
発明７に係るリール本体は、発明１から６のリール本体において、第１蓋部は、マスターギアが近接して配置され、マスターギアの背面側でマスターギアの回転軸を支持している。この場合、マスターギアは第１蓋部に近接して配置され、第２蓋部から離反して配置されている。ここでは、たとえば第１蓋部を金属により形成し、突出部に雌ねじ部を形成することにより、マスターギアによる大きな力が作用しやすい第１蓋部の強度を高く維持できるとともに、ねじ部材の取り付け強度を高く維持できる。
【００１１】
発明８に係るリール本体は、発明１から６のリール本体において、第１蓋部は、マスターギアから離反して配置され、マスターギアの正面側でマスターギアの回転軸を支持している。この場合、マスターギアは第１蓋部から離反して配置され、第２蓋部に近接して配置されている。ここでは、たとえば第１蓋部を合成樹脂により形成し、突出部にタッピング孔を形成することにより、マスターギアから遠くあまり大きな力が作用しにくい第１蓋部を軽量化できるとともに、タッピングねじにより容易に取り付けできる。
【００１２】
【発明の実施の形態】
本発明の一実施形態によるスピニングリールは、図１から図３に示すように、ハンドル組立体１と、ハンドル組立体１を有し釣竿に装着されるリール本体２と、リール本体２の前部に回転自在に装着された装着されたロータ３と、ロータ３の前部に配置された前後移動するスプール４とを主に備えている。また、スピニングリールは、ハンドル組立体１の回転に連動してロータ３を回転駆動するロータ駆動機構５と、ロータ３の回転に連動してスプール４を前後移動させるオシレーティング機構６とを備えている。
【００１３】
リール本体２は、内部にロータ駆動機構５とオシレーティング機構６とを収納している。リール本体２は、図１から図４に示すように、両側が開口する筐体部１０と、筐体部１０の両側をそれぞれ塞ぐ第１蓋部１１及び第２蓋部１２と、筐体部１０に一体成形された竿取付部１３と、筐体部１０、第１蓋部１１及び第２蓋部１２を後方から覆うカバー部材１４とを有している。
【００１４】
筐体部１０は、たとえば表面に陽極酸化被膜が形成されたマグネシウム合金製の軽量かつ比強度を維持可能な部材であり、ロータ駆動機構５やオシレーティング機構６を収納支持するための収納空間１０ａを形成し得る枠状の部材である。筐体部１０は、奥行き（図３紙面直交方向）がほぼ同じ寸法で形成されたものである。筐体部１０の前面には、逆転防止機構５０の後述するワンウェイクラッチ５１や後述するピニオンギア９等が装着される円板状の機構支持部１０ｂが形成されている。後部には、逆転防止機構５０の後述する切換操作部５２が支持される操作支持部１０ｃが形成されている。また、機構支持部１０ｂの後方には、ピニオンギア９及び切換操作部５２を支持するための中間支持部１０ｄが上部から下方に向けて延びている。
【００１５】
第１蓋部１１は、比強度及び耐食性を高く維持可能なアルミニウム合金製の部材であり、筐体部１０の一面を覆うように形成されている。第１蓋部１１は、図２に示すように、マスターギア７に近接して配置されている。第１蓋部１１は、図１及び図４から明らかなように、筐体部１０の一面側の開口のうち、ハンドル組立体１の回転により回転するマスターギア７を覆う第１カバー部１１ａと、第１カバー部１１ａから後方（図１に破線で示した部分より後方）の開口が露出する第２切欠き部１１ｂとを有している。このような第２切欠き部１１ｂを設けたのは、第１蓋部１１とカバー部材１４との重複部分を可及的に少なくして軽量化を図るためである。
【００１６】
また、第１蓋部１１には、図２及び図４に示すように、マスターギア７が設けられたマスターギア軸８の一端を支持する第１ボス部１１ｃが壁面の略中央部分に外方に突出して形成されている。また、第１蓋部１１の前部には、ロータ３の内部に入り込む円板部を構成する略半円形の第１フランジ部１１ｄが形成されている。第１フランジ部１１ｄの前部には、機構支持部１０ｂの後面に配置され機構支持部１０ｂの外周面と略面一に構成される略半円弧状の第１機構収納カバー１１ｅが形成されている。第１蓋部１１はマスターギア７が近接して配置されているため、マスターギア軸８に大きな負荷が作用したとき、第１ボス部１１ｃには大きな力が作用しやすい。そこで、第１蓋部１１は比強度を高く維持するために金属製にしてある。第１蓋部１１の前下部には、カバー部材１４を装着するとともに、洗浄時の水抜きやグリスの充填等のメンテナンスを行うための第１ねじ孔１１ｆが形成されている。
【００１７】
第２蓋部１２は、第１蓋部１１と略対称な鏡像関係の形状であり、第２カバー部１２ａ、第２切欠き部１２ｂ、第２ボス部１２ｃ、第１フランジ部１１ｄと略鏡像関係の形状の第２フランジ部１２ｄ、及び機構収納カバー１２ｅが形成されている。また第２ねじ孔１２ｆ（図２参照）も第１ねじ孔１１ｆと対向する位置に形成されている。第１フランジ部１１ｄ及び第２フランジ部１２ｄは、筐体部１０の機構支持部１０ｂ後面の外周面とで円形を構成するように形成されている。この円形部分がロータ３の後面に僅かな隙間ではまり込むように構成されている。第２蓋部１２はマスターギア７から比較的遠くに配置されているため、第２ボス部１２ｃには大きな力は作用しにくい。したがって、軽量化を図るために、たとえばナイロン６６などの合成樹脂製としている。第２ボス部１２ｃは、マスターギア軸８の他端を支持するために第２蓋部１２の壁面の第１ボス部１１ｃと対向する略中央部分に外方に突出して形成されている。
【００１８】
筐体部１０には、図２、図４及び図１０に示すように、４箇所に設けられ（図４参照）、側部を貫通する貫通孔１０ｅが形成されている。また、第１蓋部１１には、筐体部１０側に突出する突出部１１ｇが形成され、第２蓋部１２には、貫通孔１２ｇが形成されている。ここでは、筐体部１０に形成された貫通孔１０ｅに第１蓋部１１に形成された突出部１１ｇを挿通し、第２蓋部１２の貫通孔１２ｇをを貫通して突出部１１ｇにねじ部材１９をねじ止めすることにより、第１蓋部１１及び第２蓋部１２を筐体部１０に固定している。図１０に拡大して示すように、突出部１１ｇには雌ねじ部１１ｈが形成されており、雌ねじ部１１ｈにはねじ部材１９の雄ねじ部１９ａが螺合可能である。
【００１９】
竿取付部１３は、筐体部１０から上方に延びるＴ字形状の部材であり、先端に形成された前後に延びるリール脚１３ａが釣竿に図示しないリールシートに装着可能である。なお、竿取付部１３は軽量化及び肉厚の均一化を図るために上面及び前面に肉盗み部１３ｂ、１３ｃがそれぞれ形成されている。
カバー部材１４は、第１蓋部１１及び第２蓋部１２を装着した状態の筐体部１０を後方から側部及び底部を覆うように湾曲して形成されている。カバー部材１４は、第１蓋部１１及び第２蓋部１２の後端部に形成された第１切欠き部１１ｂ及び第２切欠き部１２ｂを塞ぐととも、リール本体２の後端角部を含む側面及び後面の傷付きを防止するために設けられている。カバー部材１４は、ＡＢＳ樹脂等の比較的硬質の合成樹脂製であり、表面に金属めっきを施している。カバー部材１４は、前端側部の第１ねじ孔１１ｅ及び第２ねじ孔１２ｅに対向する位置に段付きのねじ装着孔１４ａ、１４ｂが形成されている。このねじ装着孔１４ａ、１４ｂに第１ねじ孔１１ｆ及び第２ねじ孔１２ｆにねじ込まれるねじ部材１４ｃが装着されカバー部材１４を第１蓋部１１及び第２蓋部１２に固定するとともにメンテナンス時に開けることができるようになっている。カバー部材１４は後端下面で筐体部１０の下面にねじ込まれる。ねじ部材１４ｄによっても固定されている。
【００２０】
ロータ駆動機構５は、ハンドル組立体１のハンドル軸１ａがねじ込み固定されるマスターギア軸８と、マスターギア軸８に一体成形されたマスターギア７と、マスターギア７と噛み合うピニオンギア９とを備えている。
マスターギア軸８は、リール本体２の第１蓋部１１及び第２蓋部１２に形成された第１ボス部１１ｃ及び第２ボス部１２ｃに装着された軸受１５ａ、１５ｂによりリール本体２に回転自在に装着されている。マスターギア軸８の両端内周部には、雌ねじ部８ａ、８ｂがそれぞれ形成されている。雌ねじ部８ａ、８ｂは、ハンドル組立体１を糸巻取方向に回転したときねじが締まる方向のねじである。したがって、図２左側の雌ねじ部８ａは左ねじであり、右側の雌ねじ部８ｂは右ねじである。なお、ハンドル組立体１は、図１及び図３に示す左位置と図２に示す右位置とのマスターギア軸８の両端のいずれにも装着可能である。しかし、雌ねじ部８ａ、８ｂのねじ方向が異なるため、ハンドル軸１ａを左右に取り付ける場合、それぞれ専用のものが用意されている。なお、図２には左ハンドル用のハンドル軸１ａが図示されている。
【００２１】
ピニオンギア９は、中空筒状の部材であり、前部がロータ３を貫通してロータ３を回転不能に装着している。ピニオンギア９の内周部には、スプール軸１６が貫通して配置されている。ピニオンギア９の前部にはナット１７が装着されており、ナット１７によりロータ３がピニオンギア９に固定されている。ピニオンギア９は、その軸方向の中間部と後端部とがそれぞれ軸受１８ａ、１８ｂによりリール本体２の筐体部１０に回転自在に支持されている。軸受１８ａは、機構支持部１０ｂに装着され、軸受１８ｂは、中間支持部１０ｄに装着されている。ピニオンギア９の後端側に形成されたギア部９ｂには、環状の切欠き部９ｃが形成されている。この環状の切欠き部９ｃは、後述する減速機構２０をコンパクトに配置するために設けられている。
【００２２】
オシレーティング機構６は、図２及び図３に示すようにピニオンギア９に噛み合う減速機構２０と、減速機構２０に連動して回転する螺軸２１と、螺軸２１に係合して前後に往復移動するスライダ２２と、スライダ２２をスプール軸１６方向に案内する２本のガイド軸２３ａ、２３ｂを有している。
減速機構２０は、図５に示すように、ピニオンギア９に噛み合う大径ギア２５ａ及び小径ギア２５ｂを有する段付きギア部２５と、小径ギア２５ｂに噛み合う第１中間ギア２６ａ及び第１中間ギア２６ａと間隔を隔てて配置された第２中間ギア２６ｂとを有する中間軸２６と、螺軸２１に回転不能に装着され第２中間ギア２６ｂに噛み合う従動ギア２７とを備えている。
【００２３】
段付きギア部２５は、ピニオンギア９と平行な軸回りに回転する。大径ギア２５ａは、ピニオンギア９に噛み合うねじギアである。小径ギア２５ｂ、第１中間ギア２６ａ、第２中間ギア２６ｂ及び従動ギア２７は、ともにねじギアであり、中間軸２６は、段付きギア部２５と食い違う軸回りに回転し、従動ギア２７が装着された螺軸２１は、中間軸２６と食い違いかつピニオンギア９と平行な軸回りに回転する。中間軸２６の第２中間ギア２６ｂは、ピニオンギア９の切欠き部９ｃの下方に配置されている。これにより、切欠き部を形成しない場合に比べて螺軸２１をピニオンギア９に近接して配置させることができ、リール全体のコンパクト化を図ることができる。このような構成の減速機構２０では、ピニオンギア９の回転が大きく減速されて螺軸２１に伝達される。
【００２４】
螺軸２１は、表面に交差する螺旋状の溝２１ａが形成された部材であり、スプール軸１６と平行に配置されている。螺軸２１は、筐体部１０の前後端にたとえば合成樹脂製の軸受を介して回転自在に装着されている。螺軸２１は、筐体部１０の後方から装着され、筐体部１０の後面にねじ止め固定された固定板５４により抜け止めされている。
【００２５】
スライダ２２は、内部に螺軸２１の溝２１ａに係合する係合部材２２ａが装着されている。スライダ２２は、スプール軸１６の後端部に回転不能かつ移動不能に連結されている。スライダ２２は、係合部材２２ａの先端が溝２１ａに係合することにより、螺軸２１の回転に応じてスプール軸方向に往復移動し、スプール軸１６をハンドル組立体１の回転に連動して往復移動させる。
【００２６】
ガイド軸２３ａ、２３ｂはスライダ２２を貫通しており、スライダ２２をスプール軸１６に沿って案内する。ガイド軸２３ａは、筐体部１０の後端と中間支持部１０ｄとに両端が固定されている。ガイド軸２３ａは、筐体部１０の後方から装着されており、螺軸２１を抜け止めする固定板５４により後端が抜け止めされている。ガイド軸２３ｂは、筐体部１０の前後端に両端が固定されている。ガイド軸２３ｂは筐体部１０の前方から装着されている。
【００２７】
ロータ３は、図３、図６から図８に示すように、釣り糸案内部３１が第１ロータアーム３３にのみ装着された、いわゆるベールレスタイプのものであって、ピニオンギア９を介してリール本体２に回転自在に装着されたロータ本体３０と、ロータ本体３０に揺動自在に装着された釣り糸案内部３１とを有している。
ロータ本体３０は、たとえば表面に陽極酸化被膜が形成されたマグネシウム合金製であり、筒状の筒状部３２と、筒状部３２の後端部外周面の対向する位置から筒状部３２と間隔を隔ててそれぞれ前方に延びる第１ロータアーム３３及び第２ロータアーム３４とを有している。
【００２８】
筒状部３２は、後端から前方に向けてテーパ状に縮径した後に円筒状に形成された概ね筒状の部材である。筒状部３２の前部には、前壁３２ａが形成されており、前壁３２ａの中央部にはピニオンギア９の前部が貫通するボス部３２ｂが形成されている。ボス部３２ｂは、ピニオンギア９の前部に回転不能に装着されている。前壁３２ａの前部でピニオンギア９の前部にはナット１７がねじ込まれており、このナット１７によりロータ３がピニオンギア９に固定されている。また、筒状部３２の前部には、スプール軸１６への釣り糸の巻き付きを防止するための筒状の糸絡み防止部材３５が装着されている。
【００２９】
第１ロータアーム３３の先端には、釣り糸案内部３１が糸巻取姿勢と糸開放姿勢とに揺動自在に装着されている。第１ロータアーム３３の内部には、釣り糸案内部３１の揺動に連動して動作する連動機構４０が装着されている。第１ロータアーム３３の径方向外周側は第１カバー部材３６により覆われている。
第２ロータアーム３４は、第１ロータアーム３３と同様に前方に延びており、径方向外周側は、第２カバー部材３７により覆われている。第２ロータアーム３４の先端部は前方に突出した形状に形成されている。第２ロータアーム３４は、ロータ３の回転バランスをとるために設けられたものである。このため、第２ロータアーム３４は、釣り糸案内部３１が装着された第１ロータアーム３３の重心位置に近づけるために重心位置を前方側に偏倚させている。重心位置を前方側に偏倚させるために、第２ロータアーム３４には基端側に切り欠き部３４ａが形成されているとともに、先端側にバランス部材３８を装着するためのバランス部材収納部３４ｂが形成されている。バランス部材３８は、たとえばタングステン合金製である。また、第２ロータアーム３４は、重心を前方に偏倚させるために、図７及び図８から明らかなように、前方に延びる長さが第１ロータアーム３３より長くなっている。
【００３０】
ここで、図６に示すように、第１ロータアーム３３の釣り糸案内部３１の揺動軸芯を通る第１直線Ｌ１と第２ロータアーム３４の幅方向の中心を通りかつ第１直線Ｌ１と実質的に平行な第２直線Ｌ２とがロータ本体３０の回転軸芯Ｘを挟んで逆側に略同じ距離だけ離れて配置されるように、第１ロータアーム３３及び第２ロータアーム３４は形成されている。このように第１ロータアーム３３及び第２ロータアーム３４を配置すると、釣り糸案内部３１が回転軸芯Ｘに対して外側に偏倚（図６では第１直線Ｌ１に対して外側に偏倚）して配置されていても、回転バランスをさらに良好に維持することができる。
【００３１】
糸絡み防止部材３５は、筒状部３２の円筒部分と面一に形成された円筒状の噛み込み防止部３５ａと、噛み込み防止部３５ａの後端部に中心に向けて対向して設けられた１対の舌状の係合部３５ｂとを有している。噛み込み防止部３５ａの先端は他の部分より大径に形成されており、これにより、スプール４内部に侵入した釣り糸がロータ３内に入らないようにしている。また、噛み込み防止部３５ａの先端内周面には、回転バランス補正用のバランス部材３９を収納するためのバランス部材収納部３５ｃが形成されている。バランス部材３９も、たとえばタングステン合金製である。なお、バランス部材収納部３５ｃは、図３では、開示の便宜のため第２ロータアーム３４に近接した位置に形成されているが、実際には、図６に示すように後述釣り糸案内部３１が揺動する方向で第１ロータアーム３３及び第２ロータアーム３４の中間位置に配置されている。このようにバランス部材収納部３５ｃを配置することにより、釣り糸案内部３１が第１直線Ｌ１より回転軸芯Ｘからさらに離れる方向に偏倚して配置されていても、釣り糸案内部３１に対して回転軸芯Ｘと逆側に配置されたバランス部材３９により回転バランスを補正することができる。
【００３２】
糸絡み防止部材３５は、図３及び図６に示すように、係合部３５ｂの前面から装着された２本のねじ部材２９により前壁３２ａに固定されている。なお、前壁３２ａの前面は糸絡み防止部材３５を装着した状態で、係合部３５ｂを含めて環状の平坦面となっている。係合部３５ｂを含めた平坦面を前壁３２ａの前面に形成するために、前壁３２ａには、舌状の係合部３５ｂが入り込む被係合部３２ｃが形成されている。これにより、スプール４側から異物が入り込んで付着しても、スプール４を外せば異物をふき取りなどして除去しやすい構造となっている。
【００３３】
釣り糸案内部３１は、図６から図８に示すように、第１ロータアーム３３の先端に装着された支持部材４１と、支持部材４１の先端に基端が固定された固定軸４２と、固定軸４２に回転自在に装着され釣り糸を案内可能なラインローラ４３と、固定軸４２の先端に設けられた固定軸カバー４４と、固定軸カバー４４の先端に設けられ釣り糸を係止する釣り糸係止部４５とを有している。
【００３４】
支持部材４１は、先端に糸巻取姿勢と糸開放姿勢とに揺動自在に装着されている。固定軸４２は、支持部材４１の先端に基端が回転不能に係止され、取付ボルト４２ａにより支持部材４１に固定される。固定軸４２の外周には、ラインローラ４３が１対の軸受４６を介して回転自在に装着されている。ラインローラ４３は、外周面に釣り糸を案内する環状の案内溝４７が形成されており、糸ヨレが生じにくいようになっている。また、ラインローラ４３の外周面の両端は、支持部材４１及び固定軸カバー４４により覆われている。
【００３５】
固定軸カバー４４は、固定軸４２の先端に設けられ頂点４４ｂが後方かつスプール４に向けて偏芯した略円錐形状の部材である。固定軸カバー４４の後面側の稜線近傍の図７にハッチングで示す領域がラインローラ４３に釣り糸を案内する釣り糸案内面４４ｃとなっている。固定軸カバー４４の前面には、他の部分より凹んだつまみ凹部４４ａが形成されている。このようなつまみ凹部４４ａを設けると釣り糸案内部３１を糸巻取姿勢から糸開放姿勢に戻す際に便利である。釣り糸係止部４５は、頂点４４ｂと滑らかに連続して頂点４４ｂから突出し先端が他の部分より太く形成されている。
【００３６】
ロータ３は、図３に示すように、逆転防止機構５０により糸繰り出し方向の回転を禁止・解除可能である。逆転防止機構５０は、筐体部１０の機構支持部１０ｂに装着されたローラ型のワンウェイクラッチ５１を有している。ワンウェイクラッチ５１は、逆転禁止状態と逆転可能状態とに切換可能である。逆転防止機構５０は、ワンウェイクラッチ５１を逆転禁止状態と逆転可能状態とに切り換える切換操作部５２をさらに有している。切換操作部５２は、筐体部１０の操作支持部１０ｃ及び中間支持部１０ｄに揺動自在に支持されている。
【００３７】
スプール軸１６の先端には、図９に示すように、雄ねじ部１６ａと、互いに平行に切り欠かれた面取り部１６ｂとが形成されており、スプール４は、雄ねじ部１６ａに螺合する着脱ナット５５により、スプール軸１６に回転不能かつ着脱自在に装着されている。
スプール４は、図３に示すように、浅溝形のものであり、外周に釣り糸が巻き付けられる糸巻胴部４ａと、糸巻胴部４ａの後端部に糸巻胴部４ａより大径に形成された筒状のスカート部４ｂと、糸巻胴部４ａの先端部に糸巻胴部４ａより僅かに大径に形成された前フランジ部４ｃとを備えている。
【００３８】
糸巻胴部４ａは、スプール軸１６に対して回転不能であり、ロータ３の筒状部３２及び糸絡み防止部材３５の外周側に配置されている。糸巻胴部４ａは、先端側内周に一体成形された前壁部４ｄと、前壁部４ｄの内周側に後方に突出して一体成形されたボス部４ｅとを有している。前壁部４ｄには、軽量化を図るために多数の透孔４ｇが形成されている。
【００３９】
ボス部４ｅは、図９に示すように、外形が正六角形の形状をしている。ボス部４ｅは、スプール軸１６に回転自在に装着されており、取付部材５６によりスプール軸１６に回転不能に装着される。取付部材５６は、ボス部４ｅを回転不能に係止するボス係止部材５７と、ボス係止部材５７をスプール軸１６に対して回転不能にする係止部材５８とを有している。ボス係止部材５７は、ボス部４ｅと対向する前面５７ａに１２角の星形断面の係止凹部５７ｂを有しているとともに、後面５７ｃに係止部材５８に係合する４つの円形の係止突起５７ｄを有している。係止部材５８は、円板状の部材であり、スプール軸１６の面取り部１６ｂに係合するスリット５８ａを中心に有している。また、外周面に係止突起５７ｄに係合する４つの係止溝５８ｂを有している。面取り部１６ｂにスリット５８ａをはめ込むことにより係止部材５８はスプール軸１６に回転不能に装着される。また、係止溝５８ｂに係止突起５７ｄを係止させることで、ボス係止部材５７がスプール軸１６に対して回転不能になる。なお、ボス係止部材５７の係止凹部５７ｂには、弾性体製のワッシャ部材５９が装着されている。ワッシャ部材５９は、スプール軸１６の外形より僅かに小さい内径の孔部５９ａを有しており、孔部５９ａをスプール軸１６に装着することにより、ボス係止部材５７及び係止部材５８のスプール軸１６に対する前後移動を規制している。
【００４０】
このような星形断面の係止凹部５７ｂで六角形断面のボス部４ｅを係止させることにより、３０度間隔の回転位相でスプール４をスプール軸１６に回転不能に装着できる。これにより、着脱ナット５５を緩めるだけでスプール４を回すことができ、ロータ３を回転させることなく仕掛けの垂らし長さを調整できる。
スカート部４ｂには、図１に示すように、軽量化を図るために内径が異なる多数の透孔４ｆが形成されている。前フランジ部４ｃには、糸巻胴部４ａの外周面から僅かに前方に拡径するテーパ状の外周面を有している。これによりキャスティング時に釣り糸に作用する放出抵抗が大きく減少する。
【００４１】
次にスピニングリールの動作について説明する。
なお、動作の説明では右手でキャスティングする場合を説明する。キャスティングの際には、釣り糸案内部３１を糸巻取姿勢にして釣り糸を釣り糸案内部に引っ掛けた状態にして仕掛けの垂らし長さを調整する。
まずハンドル組立体１を糸巻取方向に回してスプール４をストロークの最先端近くに配置した状態で釣り糸案内部３１が所定の回転位相となるようにする。具体的には、釣り糸案内部３１の操作のしやすさや釣り糸のつまみやすさを考慮し、たとえば、右手でキャスティングするときには釣り糸案内部３１を釣竿側から見てスプール４の左側に配置すると釣り糸案内部３１を左手で操作しやすい。
【００４２】
仕掛けの垂らし長さを変更する際には、着脱ナット５５を緩めてスプール４を前方に移動させてボス部４ｅとボス係止部材５７との係合を解除する。この状態でスプール４を回して仕掛けの垂らし長さを適当な位置に調整する。垂らし長さを調整したらスプール４を後方に移動させてボス部４ｅをボス係止部材５７に係止させる。このとき、ボス部４ｅは３０度毎にボス係止部材５７に係合するので、仕掛けの垂らし長さを細かく調整できる。そして着脱ナット５５を締めて垂らし長さの調整を終わる。
【００４３】
この状態で左手（釣竿を持つ手の逆の手）の指先で釣り糸案内部３１の固定軸カバー４４をつまんで釣り糸案内部３１を糸開放姿勢に揺動させる。このとき、固定軸カバー４４につまみ凹部４４ａが形成されているので、固定軸カバー４４をつまみやすくなり、釣り糸案内部３１をつまんで簡単に揺動させることができる。そして、スプール４に巻き付けられた釣り糸を、左手でつまんで釣竿を右手の人差し指で引っ掛けてキャスティングする。
【００４４】
キャスティングが終わると、左手で釣り糸案内部３１を糸開放姿勢から糸巻取姿勢に戻し、左手で釣り糸をつまんで釣り糸案内部３１の釣り糸係止部４５に係止する。釣り糸係止部４５に係止された釣り糸は、固定軸カバー４４の釣り糸案内面４４ｃを通ってラインローラ４３の案内溝４７に案内される。この状態でハンドル組立体１を糸巻取方向に僅かに回転させて釣り糸にわずかにテンションをかけて置き竿する。
【００４５】
仕掛けに獲物が掛かってハンドル組立体１を回すとロータ３が糸巻取方向に回転するとともにスプール４が前後移動する。このとき、ハンドル組立体１の回転はマスターギア軸８を介してマスターギア７に伝達され、ピニオンギア９を介してロータ３が回転する。また、ピニオンギア９から減速機構２０を介してオシレーティング機構６が動作してスプール４が前後移動する。
【００４６】
このスピニングリールでは、筐体部１０に形成された貫通孔１０ｅに第１蓋部１１に形成された突出部１１ｇを挿通し、第２蓋部１２の貫通孔１２ｇを貫通して突出部１１ｇにねじ部材１９をねじ止めすることにより、第１蓋部１１及び第２蓋部１２を筐体部１０に固定している。ここでは、第１蓋部１１側にねじ止め部分が外方に露出することがないので、外観意匠を向上させることができる。また、貫通孔１０ｅに突出部１１ｇを挿通させることにより容易に位置決めできる。さらに、第１蓋部１１にのみ突出部１１ｇを設けることにより、安価な構成で第１蓋部１１及び第２蓋部１２を筐体部１０に固定することができる。
【００４７】
〔他の実施形態〕
（ａ）  前記実施形態では、筐体部１０をマグネシウム合金製としたが、筐体部１０の材質はマグネシウム合金に限定されずアルミニウム合金やチタン合金などの軽量で比強度が高い金属やガラス繊維強化ナイロンや炭素繊維強化樹脂などの比強度が高く軽量な合成樹脂であってもよい。
【００４８】
（ｂ）  前記実施形態では、第１蓋部１１の材質をアルミニウム合金製としたが、第１蓋部１１の材質はチタン合金などの軽量で比強度が高い金属であればどのようなものでもよい。
（ｃ）  前記実施形態では、竿取付部１３を筐体部１０と一体成形したが、第１蓋部１１と一体成形してもよい。
【００４９】
（ｄ）  前記実施形態では、マスターギア７が近接して配置された金属製の第１蓋部１１に突出部１１ｇが形成されていたが、図１１に示すように、マスターギア７が離反して配置された合成樹脂製の第２蓋部１２（発明８における第１蓋部の一例）に突出部１２ｈを形成してもよい。また、突出部１２ｈにタッピング孔１２ｉを形成し、タッピングねじからなるねじ部材１９を第１蓋部１１の貫通孔１１ｉを貫通させて突出部１２ｈにねじ込むようにしてもよい。
【００５０】
【発明の効果】
本発明によれば、スピニングリールのリール本体において、筐体部に形成された貫通孔に第１蓋部に形成された突出部を挿通し、第２蓋部を突出部にねじ止めすることにより、第１蓋部及び第２蓋部を筐体部に固定しているので、外観意匠を向上でき、安価な構成で第１蓋部及び第２蓋部は筐体部に固定することができる。
【図面の簡単な説明】
【図１】本発明の一実施形態を採用したスピニングリールの側面図。
【図２】そのスピニングリールの背面断面図。
【図３】そのスピニングリールの側面断面図。
【図４】リール本体の分解斜視図。
【図５】減速機構の斜視図。
【図６】ロータの正面図。
【図７】ロータの右側面図。
【図８】ロータの左側面図。
【図９】スプールの取付構造を示す分解斜視図。
【図１０】リール本体の固定部分の拡大断面図。
【図１１】他の実施形態の図１０に相当する図。
【符号の説明】
１  ハンドル組立体
２  リール本体
３  ロータ
４  スプール
７  マスターギア
１０  筐体部
１０ｅ  貫通孔
１１  第１蓋部
１１ｇ  突出部
１１ｈ  雌ねじ部
１１ｉ  貫通孔
１２  第２蓋部
１２ｇ  貫通孔
１２ｈ  突出部
１２ｉ  タッピング孔
１３  竿取付部
１９  ねじ部材
１９ａ  雄ねじ部
【図１】
2004254557.tif 000003
【図２】
2004254557.tif 000004
【図３】
2004254557.tif 000005
【図４】
2004254557.tif 000006
【図５】
2004254557.tif 000007
【図６】
2004254557.tif 000008
【図７】
2004254557.tif 000009
【図８】
2004254557.tif 000010
【図９】
2004254557.tif 000011
【図１０】
2004254557.tif 000012
【図１１】
2004254557.tif 000013